(57)【特許請求の範囲】
【請求項１】
給電されて作動する装置と、該装置と接続された複数の機器と、該機器のそれぞれに対応し、使用者によるスイッチ操作により切り替えられうるオン状態およびオフ状態の別に応じて該装置への給電及び該機器の作動を開始又は停止させる複数のリモコンとを備えた制御システムであって、
該複数のリモコンのうちいずれかがオン状態であるにもかかわらず該装置の作動が停止するエラー状態が発生したとき、オン状態である該リモコンの全てをオフ状態に切り替えるリモコン制御手段を備えていることを特徴とする制御システム。
【請求項２】
前記エラー状態の発生時に前記リモコンがオン状態であったことを記憶するメモリを備え、該エラー状態において全てのリモコンがオフ状態とされ、前記装置への給電再開のため前記複数のリモコンのいずれかがオン状態にされたとき、前記リモコン制御手段は該メモリによりオン状態であったと記憶され、且つ、オフ状態であるリモコンをオン状態に切り替えることを特徴とする請求項１記載の制御システム。
【請求項３】
前記メモリは前記エラー状態の発生時に前記リモコンがオフ状態であったことを記憶し、該エラー状態において全てのリモコンがオフ状態とされ、前記装置への給電再開のためオン状態にされた該リモコンが、該メモリによりオフ状態であったと記憶されている場合、前記リモコン制御手段はオン状態にされた該リモコンをオフ状態に切り替えることを特徴とする請求項２記載の制御システム。
【請求項４】
前記リモコンに、前記エラー状態が発生しているときにその旨を表示するエラー表示手段が設けられていることを特徴とする請求項１乃至３のいずれか１つに記載の制御システム。
【発明の詳細な説明】
【０００１】
【発明の属する技術分野】
本発明は、給電されて作動する装置と、該装置と接続された複数の機器と、該機器のそれぞれに対応し、オン・オフ状態により該装置への給電及び該機器の作動を開始又は停止させるリモコンとを備えた制御システムに関する。
【０００２】
【従来の技術】
かかる制御システムで「装置」は例えば給湯装置であり、「機器」は例えば給湯装置から温水の供給を受けて部屋を暖める暖房機器である。このシステムにおいて、いずれかのリモコンがスイッチ操作によりオン状態とされていれば装置が給電されて作動し、オン状態にされているリモコンに対応する機器が作動する。そして、いずれかの機器が作動中にもかかわらず装置が停止するエラー状態が発生した場合、機器に対応するリモコンがオン状態にされたまま機器の作動が強制的に停止され、リモコンにおいてその旨のエラー表示が行われる。
【０００３】
このようにエラー状態が生じたとき、それまで作動していた機器はリモコンがオン状態とされたまま停止される。このため、停止した機器に対応するリモコンが、本来オフ状態であるべきにもかかわらずオン状態のままであり、機器の作動状態とリモコンのオン・オフ状態とが整合していない。エラー状態を解除するためには装置を停止後、再起動させる必要があり、作動していた一つのリモコンをスイッチ操作によりオフ状態にし、オン・オフ状態を整合させても、他のリモコンがオン状態であれば装置を再起動させることができない。従って、エラー状態からその機器を再起動させる場合は制御システムのリセット、すなわち、全ての機器が停止していることに対応させて全てのリモコンをオフ状態にする必要がある。制御システムがリセットされた上で複数のリモコンのうちいずれかがオン状態とされれば、装置への給電が再開され、オン状態とされたリモコンに対応する機器が作動を再開する。
【０００４】
しかし、制御システムのリセットをするため、使用者はエラー状態が生じる前にオン状態となっていたリモコンの全てをスイッチ操作によりオフ状態にしなくてはならない。また、複数のリモコンは同一の建造物の中の離れた場所に設置されていることが多いため、それら複数のリモコンがオン状態となっているかオフ状態となっているか判断しにくい。このため、使用者は全てのリモコンの設置場所にいちいち行かなくてはならず、制御システムのリセットが煩わしいものとなっていた。
【０００５】
【発明が解決しようとする課題】
かかる背景に鑑みて本発明は、リセットの煩わしさを軽減することができる制御システムを提供することを解決課題とする。
【０００６】
【課題を解決するための手段】
前記課題を解決するための本発明の制御システムは、給電されて作動する装置と、該装置と接続された複数の機器と、該機器のそれぞれに対応し、使用者によるスイッチ操作により切り替えられうるオン状態およびオフ状態の別に応じて該装置への給電及び該機器の作動を開始又は停止させる複数のリモコンとを備えた制御システムであって、該複数のリモコンのうちいずれかがオン状態であるにもかかわらず該装置の作動が停止するエラー状態が発生したとき、オン状態である該リモコンの全てをオフ状態に切り替えるリモコン制御手段を備えていることを特徴とする。
【０００７】
かかる構成の制御システムによれば、エラー状態が発生すると、それまでオン状態であった全てのリモコンがリモコン制御手段によってオフ状態に切り替えられ、これにより作動中の機器が停止される。全ての機器が停止するとともに対応する全てのリモコンがオフ状態となることで、機器の作動状態とリモコンのオン状態・オフ状態状態とが整合する。すなわち、全ての機器が停止しているにもかかわらず、リモコンのいずれかがオン状態であるといった事態が回避される。こうして制御システムがリセットされる。従って、エラー状態が発生した場合、使用者はオン状態であった全てのリモコンの設置場所に足を運んだ上でそのリモコンをオフ状態にする必要はなく、制御システムのリセットにかかる煩わしさが解消される。
【０００８】
前記エラー状態の発生時に前記リモコンがオン状態であったことを記憶するメモリを備え、該エラー状態において全てのリモコンがオフ状態とされ、前記装置への給電再開のため前記複数のリモコンのいずれかがオン状態にされたとき、前記リモコン制御手段は該メモリによりオン状態であったと記憶され、且つ、オフ状態であるリモコンをオン状態に切り替えることが好ましい。
【０００９】
本システムによれば、エラー状態の発生後、制御システムがリセットされ、装置への給電再開のためにいずれかのリモコンがオン状態とされたとき、メモリによりエラー状態発生時にオン状態であったと記憶されている全てのリモコンがリモコン制御手段によりオン状態とされる。また、オン状態とされたリモコンに対応する機器が作動を再開する。従って、使用者は一のリモコンをオン状態とすることでエラー状態の発生により強制的に作動が停止された全ての機器を再起動させることができる。このため、当該機器に対応する全てのリモコンを再度オン状態にするため各リモコンの設置場所に足を運ぶ必要はなく、エラー状態発生前の作動状態に制御システムを復帰させることができるので使い勝手が向上する。
【００１０】
また、前記メモリは前記エラー状態の発生時に前記リモコンがオフ状態であったことを記憶し、該エラー状態において全てのリモコンがオフ状態とされ、前記装置への給電再開のためオン状態にされた該リモコンが、該メモリによりオフ状態であったと記憶されている場合、前記リモコン制御手段はオン状態にされた該リモコンをオフ状態に切り替えることが好ましい。
【００１１】
本システムよれば、エラー状態の発生後、制御システムがリセットされ、装置への給電再開のためオン状態にされたリモコンが、メモリによりエラー状態発生時にオフ状態であったと記憶されていれば、リモコン制御手段によりオフ状態に切り替えられる。従って、装置の再起動のためにオン状態とされたリモコンに対応する機器は作動せず、当該機器を停止させるためにリモコンを再度操作してオフ状態に切り替える必要がないという利点がある。
【００１２】
前記リモコンに、前記エラー状態が発生しているときにその旨を表示するエラー表示手段が設けられていることが好ましい。これにより使用者はエラー状態が発生したことを迅速に察知することができ、リセット済の制御システムにおいてリモコン操作のタイミングが著しく遅延することを回避することができる。
【００１３】
【発明の実施の形態】
本発明の制御システムの実施形態について添付図面を用いて説明する。図１は本実施形態の制御システムの構成説明図であり、図２は本実施形態の制御システムの作動説明図である。
【００１４】
図１に示す制御システムは、給電されて作動する給湯装置１と、部屋Ａ、Ｂ、Ｃにそれぞれ設けられた暖房機器２ａ、２ｂ、２ｃを構成し、給湯装置１から温水が供給されて各部屋を暖める温水マット３ａ、３ｂ、３ｃと、各部屋に設けられ、給湯装置１への給電及び暖房機器２ａ〜２ｃの作動を開始・停止させるべくオン・オフ状態とされるリモコン４ａ、４ｂ、４ｃとを備えている。
【００１５】
給湯装置１は、給湯装置１の作動を制御するコントローラ５と、温水回路６と、温水回路６の水を加熱するバーナ７とを備えている。コントローラ５はエラー状態の発生時にリモコン４ａ〜４ｃに対してエラー信号を送信する。ここで「エラー状態」とはリモコン４ａ〜４ｃのいずれかがオン状態で給湯装置１が作動すべきにもかかわらず、給湯装置１の作動が停止する状態をいう。
【００１６】
温水回路６は、バーナ７の燃焼熱を受け取って温水回路６内の水を昇温させる熱交換器８と、熱交換器８の上流にあって図中矢印方向に温水を循環させるポンプ９と、ポンプ９の上流において温水回路６内の温水の膨張と収縮を吸収するシスターン１０とが設けられている。温水回路６は、熱交換器８の下流で３つに分岐し、温水マット３ａ、３ｂ、３ｃをそれぞれ経てシスターン１０の上流で合流する３つの還流路６ａ、６ｂ、６ｃを備えている。また、熱交換器８の下流且つ還流路６ａ〜６ｃの分岐点の上流で分岐し、還流路６ａ〜６ｃの合流点の下流且つシスターン１０の上流に合流するバイパス路１１が設けられている。還流路６ａ〜６ｃには、温水マット３ａ〜３ｃの上流で開閉時間の制御により温水マット３ａ〜３ｃから各部屋Ａ、Ｂ、Ｃへの放熱量を調節する開閉制御弁１２ａ、１２ｂ、１２ｃが設けられている。
【００１７】
バーナ７には燃料ガスが供給されるガス供給路１３が接続され、ガス供給路１３にはバーナ７へのガスの供給・遮断を切り替える元ガス電磁弁１４及びガス電磁弁１５と、ガスの供給量を調節するガス比例弁１６とが設けられている。また、バーナ７に燃焼用空気を供給する燃焼ファン１７が設けられている。
【００１８】
リモコン４ａ〜４ｃは、接点式のリモコンであり、スイッチ１８ａ〜１８ｃと、開閉により電源からの電力を給湯装置１に供給・遮断する接点１９ａ〜１９ｃと、接点１９ａ〜１９ｃを開閉してリモコン４ａ〜４ｃのオン・オフ状態を切り替えるマイコン（本発明の「リモコン切替手段」）２０ａ〜２０ｃと、コントローラ５からエラー信号を受信したときにエラー状態が発生している旨を「エラー発生」という文字で表示するパネル（本発明の「エラー状態表示手段」）２１ａ〜２１ｃとを備えている。マイコン２０ａ〜２０ｃはエラー状態発生時にリモコン４ａ〜４ｃがオン又はオフ状態のいずれであったかを記憶するメモリ２２ａ〜２２ｃを備えている。接点式のリモコン４ａ〜４ｃは、給湯装置１に対して並列に接続されており、接点１９ａ〜１９ｃのいずれか１つでも閉じられれば、給湯装置１に給電され、給湯装置１が作動するように構成されている。
【００１９】
ここで、前記構成のシステムの作動について図１及び図２を用いて説明する。３つのリモコン４ａ〜４ｃが全てオフ状態の状態から、まず、図２に示すようにリモコン４ａがオン状態にされたとする。これにより給湯装置１へ給電が開始され、燃焼ファン１７が作動してバーナ７に燃焼用空気が供給され、図示しないイグナイタが作動し、元ガス電磁弁１４及びガス電磁弁１５が開弁し、バーナ７にガスが供給されてバーナ７が燃焼を開始する。これにより熱交換器８を介して温水回路６内の水が昇温する。また、コントローラ５によりリモコン４ａの接点１９ａが閉じられたと判断されると、コントローラ５から開信号が開閉制御弁１２ａに送信されて開閉制御弁１２ａが開弁し、ポンプ９が作動を開始することで熱交換器８で生じた温水が還流路６ａを介して温水マット３ａに供給され、部屋Ａがその床面から暖められる。リモコン４ａがオン状態にされた後、図２に示すようにリモコン４ｂもオン状態にされたとする。これにより開閉制御弁１４ｂが開弁し、還流路６ｂを介して温水マット３ｂにも温水が供給されて部屋Ｂが暖められる。
【００２０】
そして、リモコン４ａ、４ｂがオン状態で、バーナ７の燃焼が停止するというエラー状態が発生したとする。このとき、コントローラ５からリモコン４ａ〜４ｃに対してエラー信号が送信され、マイコン２０ａ、２０ｂにより接点１９ａ、１９ｂが閉じられ、図２に示すようにそれまでオン状態であったリモコン４ａ、４ｂがオフ状態に切り替えられる。また、エラー状態の発生により給湯装置１において、元ガス電磁弁１４及びガス電磁弁１５が閉弁され、燃焼ファン１７が停止され、ポンプ９が停止され、開閉制御弁１２ａ、１２ｂが閉弁される。さらに、リモコン４ａ〜４ｃのそれぞれのパネル２１ａ〜２１ｃに「エラー発生」と表示される。メモリ２２ａ、２２ｂはエラー状態の発生時にリモコン４ａ、４ｂがオン状態であったことを記憶し、メモリ２２ｃはエラー状態の発生時にリモコン４ｃがオフ状態であったことを記憶する。
【００２１】
続いて、パネル２１ｃのエラー表示に気付いた使用者によりリモコン４ｃがオン状態にされたとき、給湯装置１への給電が再開され、図２に示すように給湯装置１が再起動する。このとき、リモコン４ａ〜４ｃにおいてパネル２１ａ〜２１ｃの「エラー発生」との表示が消える。次に、コントローラ５からリモコン４ａ〜４ｃに対し、オン状態切替信号が発信される。このとき、メモリ２２ａ、２２ｂによりエラー状態発生時にオン状態であったと記憶されているリモコン４ａ、４ｂがマイコン２０ａ、２０ｂによりオフ状態からオン状態に切り替えられる。また、給湯装置１の再起動のためにオン状態とされたリモコン４ｃは、メモリ２２ｃがエラー状態発生時にオフ状態であったことを記憶しているので、第２メモリ９に記憶されているので、マイコン２０ｃによってリモコン４ｃがオン状態からオフ状態に切り替えられる。
【００２２】
前記制御システムによれば、エラー状態が発生時にオン状態だった全てのリモコン４ａ、４ｂがマイコン２０ａ、２０ｂによってオフ状態に切り替えられる。また、開閉制御弁１２ａ、１２ｂが閉弁されて温水マット３ａ、３ｂへの温水供給が停止されて暖房機器２ａ、２ｂが強制的に停止される。このため、全ての暖房機器２ａ〜２ｃが停止状態となるとともに全てのリモコン４ａ〜４ｃがオフ状態となり、暖房機器２ａ〜２ｃの作動状態とリモコン４ａ〜４ｃのオン・オフ状態とが整合する。すなわち、暖房機器２ａ〜２ｃが停止しているにもかかわらず、リモコン４ａ〜４ｃのいずれかがオン状態なので、オン状態のリモコンの全てをオフ状態にする必要がなくなる。こうして制御システムがリセットされる。従って、エラー状態が発生したとき、使用者はオン状態だったリモコン４ａ、４ｂをオフ状態にすべく部屋Ａ、Ｂに足を運ぶ必要がなく、制御システムのリセットにかかる煩わしさが解消される。
【００２３】
また、エラー状態の発生後、給湯装置１への給電再開のためにリモコン４ｃがオン状態とされたとき、メモリ２２ａ、２２ｂによりエラー状態発生時にオン状態であったと記憶されているリモコン４ａ、４ｂがオン状態とされ、暖房機器２ａ、２ｂが作動を再開する。従って、使用者はリモコン４ｃをオン状態とすることで、リモコン４ａ、４ｂをオン状態にすることなく暖房機器２ａ、２ｂを再起動させることができる。
【００２４】
さらに、エラー状態の発生後、給湯装置１の作動再開のためオン状態にされたリモコン４ｃは、メモリ２２ｃによりエラー状態発生時にオフ状態であったことが記憶されている。このため、リモコン４ｃはマイコン２０ｃによりオフ状態に切り替えられ、暖房機器２ｃは作動しない。従って、使用者がリモコン４ｃを給湯装置１の再起動のためにリモコン４ｃをオン状態にした後、暖房機器２ｃを停止させるべくオン状態からオフ状態に切り替える必要がない。
【００２５】
また、使用者はパネル２１ａ〜２１ｃを見ることでエラー状態が発生したことを迅速に察知することができ、リセット済の制御システムにおいてリモコン４ａ〜４ｃの操作のタイミングが著しく遅延することを回避することができる。
【００２６】
なお、本実施形態ではエラー状態発生後にリモコン４ｃがオン状態とされたが、他の実施形態としてリモコン４ａ又は４ｂがオン状態とされてもよい。この場合、メモリ２２ａ、２２ｃによりリモコン４ａ、４ｂがエラー状態発生時にオン状態であったことが記憶されているので、リモコン４ａ、４ｂはオフ状態に切り替えられずオン状態のままとされて暖房機器２ａ、２ｂがともに再起動する。
【００２７】
また、他の実施形態としてメモリ２２ａ〜２２ｃによりリモコン４ａ〜４ｃがエラー状態発生時にオフ状態であったことが記憶されなくてもよい。かかる構成とすれば、上の例でいうと制御システムのリセットに際してオン状態にスイッチ操作されたリモコン４ｃに対応する暖房機器２ｃがそのまま作動する。さらに、他の実施形態としてメモリ２２ａ〜２２ｃが省略されてもよい。この場合、エラー状態の発生後、使用者がオン状態としたリモコンに対応する暖房機器のみを再起動させることができる。
【００２８】
本実施形態では使用者はパネル２１ａ〜２１ｃに「エラー発生」という文字が表示されることでエラー状態であることを知りうるが、他の実施形態としてリモコン４ａ〜４ｃに設けられたランプが点灯又は点滅することにより、或いは音声発生装置が音声を発することにより使用者がエラー状態である旨を知り得るようにされてもよい。
【図面の簡単な説明】
【図１】本実施形態の制御システムの構成説明図
【図２】本実施形態の制御システムの作動説明図
【符号の説明】
１‥給湯装置（装置）、２ａ〜２ｃ‥暖房機器（機器）、４ａ〜４ｃ‥リモコン、２１ａ〜２１ｃ‥マイコン（リモコン切替手段）、２１ａ〜２１ｃ‥パネル（エラー表示手段）、２１ａ〜２１ｃ‥メモリ
【図１】
0003756738.tif 000002
【図２】
0003756738.tif 000003